【手続補正書】
【提出日】平成19年6月14日(2007.6.14)
【手続補正１】
【補正対象書類名】特許請求の範囲
【補正対象項目名】全文
【補正方法】変更
【補正の内容】
【特許請求の範囲】
【請求項１】
ａ）容積を画成する実質的に非弾性の嚢壁を有し、充填材料の導入のための少なくとも１つの嚢壁開口部を有する嚢であって、前記嚢は、前記嚢の一端から他端に至る体液の通路として、嚢壁の外側に通路を全く有していない、嚢と、
ｂ）充填材料を容積に導入後に、容積内部に充填材料を保持するための、少なくとも１つの嚢壁開口部の各々に対する、少なくとも１つの閉塞器と
を含む、人体への移植に適した、膨張可能かつ拡張可能な移植片。
【請求項２】
前記充填材料をさらに含んでいる、請求項１に記載の移植片。
【請求項３】
前記嚢壁及び前記充填材料のうち少なくとも一方は、無線周波数エネルギー吸収材料を含んでいる、請求項２に記載の移植片。
【請求項４】
前記充填材料が、弾性固体、粘弾性固体、粘弾性液体、ゲルマイクロ粒子を含む粘弾性液体、粘稠液、およびその先駆物質から成るグループから選択されたメンバーを含んでいる、請求項２又は３に記載の移植片。
【請求項５】
前記移植片が、人体開口部内の、またはその隣接部分への移植により、人体内の人体開口部を少なくとも部分的に閉じるよう構成されている、請求項１から４のいずれか一項に記載の移植片。
【請求項６】
前記移植片が、人体ルーメンを含む人体開口部を少なくとも部分的に閉じるよう構成されている、請求項５に記載の移植片。
【請求項７】
前記移植片が、血管ルーメン、生成泌尿器ルーメン、気管支ルーメン、胃腸ルーメン、および肝臓ルーメンから選択された人体ルーメンを少なくとも部分的に閉じるよう構成されている、請求項５に記載の移植片。
【請求項８】
前記移植片が、人体開口部を、非外科的に、および制御可能な形で、開き、かつ少なくとも部分的に閉じるように、さらに構成されている、請求項５に記載の移植片。
【請求項９】
前記移植片が、人体構成要素に隣接した移植により、人体内で人体構成要素を支持するよう構成されている、請求項１から４のいずれか一項に記載の移植片。
【請求項１０】
前記移植片が、皮膚を含む人体構成要素を支持するよう構成されている、請求項９に記載の移植片。
【請求項１１】
前記移植片が、１つ以上の人体関節構成要素を含む、人体構成要素を支持するよう構成されている、請求項９に記載の移植片。
【請求項１２】
前記移植片が、膝、背骨、肘、および手首の構成要素から選択される、１つ以上の人体関節構成要素を支持するよう構成されている、請求項１１に記載の移植片。
【請求項１３】
前記充填材料が充填液体である、請求項２から４のいずれか一項に記載の移植片。
【請求項１４】
前記充填液体が、水、生理食塩水、および生体適合液体から成るグループから選択されている、請求項１３に記載の移植片。
【請求項１５】
前記充填材料が、放射線不透過材料を含んでいる、請求項２から４のいずれか一項に記載の移植片。
【請求項１６】
前記充填材料が、放射線不透過流体材料をさらに含んでいる、請求項２から４のいずれか一項に記載の移植片。
【請求項１７】
前記放射線不透過流体材料が、イオプロミド、メトリザミド、およびその混合物、および溶液から成るグループから選択されている、請求項１６に記載の移植片。
【請求項１８】
前記充填材料が、放射線不透過固体材料をさらに含んでいる、請求項２から４のいずれか一項に記載の移植片。
【請求項１９】
前記放射線不透過固体材料が、硫酸バリウム、三酸化ビスマス、ビスマス炭酸塩、タングステン、タンタル、金、ルテニウム、ロジウム、オスミウム、イリジウム、パラジウム、プラチナ、レニウム、およびその混合物から成るグループから選択された１つ以上の材料を含んでいる、請求項１８に記載の移植片。
【請求項２０】
前記無線周波数エネルギー吸収材料は、鉄酸化物、鉄水酸化物、グラファイト、およびアモルファス炭素から成るグループから選択される、請求項３に記載の移植片。
【請求項２１】
前記充填材料が放射性物質を含んでいる、請求項２から４のいずれか一項に記載の移植片。
【請求項２２】
前記充填材料が、生体活性剤、または化学活性剤を含んでいる、請求項２から４のいずれか一項に記載の移植片。
【請求項２３】
前記充填材料が、嚢容積内部で反応するよう適合された、反応性混合物を含んでいる、請求項２から４のいずれか一項に記載の移植片。
【請求項２４】
前記充填材料が、ポリ（エチレングリコール）、ポリ（酸化エチレン）、ポリ（ビニルアルコール）、ポリ（エチレン‐コ‐ビニルアルコール）、およびポリ（アクリル酸）、およびポリ（エチレン‐コ‐アクリル酸）、ポリ（エチルオキサゾリン）、ポリ（ビニルピロリドン）、ポリ（エチレン‐コ‐ビニルピロリドン）、ポリ（マレイン酸）、ポリ（エチレン‐コ‐マレイン酸）、ポリ（アクリルアミド）、ポリ（酸化エチレン）‐コ‐ポリ（酸化プロピレン）ブロック共重合体から成るグループから選択された第１メンバー、および、チオールまたはチオールを含む基から成る基から選択された、強い求核試薬を有する第２メンバーの共重合体を含んでいる、請求項２から４のいずれか一項に記載の移植片。
【請求項２５】
前記嚢壁が、充填剤の容積への導入後に、移植片を人体内の選択位置に保持するよう構成されている、請求項１から４のいずれか一項に記載の移植片。
【請求項２６】
前記嚢壁が、充填剤の容積への導入後に、予め選択された形状を形成するよう構成されている、請求項１から４のいずれか一項に記載の移植片。
【請求項２７】
前記充填剤の容積への導入後に、移植片を人体内の選択位置に保持するよう構成された少なくとも１つのアンカーをさらに含んでいる、請求項１から４のいずれか一項に記載の移植片。
【請求項２８】
前記嚢壁の外部の少なくとも１つの固定領域をさらに含み、容積への充填液の導入後に移植片を人体内の選択位置に保持するよう構成されている、請求項１から４のいずれか一項に記載の移植片。
【請求項２９】
前記嚢壁が、織布および不織布から成るグループから選択された布を含んでいる、請求項１から４のいずれか一項に記載の移植片。
【請求項３０】
前記嚢壁が、ポリエチレンテレフタレート、ポリ塩化ビニル、ポリウレタン、ポリオレフィン、ポリアミド、およびフッ素重合体から成るグループから選択される、少なくとも１つのメンバーを含んでいる、請求項１から４のいずれか一項に記載の移植片。
【請求項３１】
前記嚢壁が、ポリテトラフルオロエチレン、ポリ（エチレン‐クロロフルオロエチレン）、ポリ（フッ素化エチレンプロピレン）、ポリパーフルオロアルコキシ、ポリクロロ三フッ化エチレン、ポリビニルフッ化物、ポリビニリデンフッ化物、および発泡ポリテトラフルオロエチレンから成るグループから選択される、少なくとも１つのフッ素重合体を含んでいる、請求項１から４のいずれか一項に記載の移植片。
【請求項３２】
前記嚢壁が、発泡ポリテトラフルオロエチレンを含んでいる、請求項１から４のいずれか一項に記載の移植片。
【請求項３３】
前記嚢壁が、炭素繊維、金属繊維、および合金繊維から成るグループから選択された１つ以上のメンバーを含んでいる、請求項１から４のいずれか一項に記載の移植片。
【請求項３４】
前記嚢壁が、複数の中空繊維を含んでいる、請求項１から４のいずれか一項に記載の移植片。
【請求項３５】
前記嚢壁が、前記無線周波数エネルギー吸収材料を含んでいる、請求項３に記載の移植片。
【請求項３６】
前記充填材料が、前記無線周波数エネルギー吸収材料を含んでいる、請求項３に記載の移植片。
【請求項３７】
前記嚢壁および前記充填材料の各々が、前記無線周波数エネルギー吸収材料を含んでいる、請求項３に記載の移植片。